(57)【要約】【課題】押鍵ストローク及びハンマーストロークをきめ細かく調整できることにより、演奏時における弱音のコントロール性を十分に得ることができるとともに、ダイナミックレンジをより一層広げることができる鍵盤楽器のストローク調整装置を提供する。【解決手段】複数の鍵７ａの後端部が載置された鍵盤枕１９を昇降するための鍵盤枕昇降機構４１と、これを駆動するために手動で操作される操作機構４２と、その操作に伴って生じる動力を鍵盤枕昇降機構４１に伝達する動力伝達機構４３と、を備えており、鍵盤枕昇降機構４１は、鍵盤枕１９の下側に回転自在に設けられた回転軸本体５５と、これと一体に回転する複数のギヤ部５７に噛み合い、上下方向に移動自在の複数のラック部５８と、これらにわたって延び、複数のラック部５８と一体に上下方向に移動することにより、鍵盤枕１９を昇降させる昇降部５９と、を有している。【選択図】図４
2018054967.tif 000002
【特許請求の範囲】
【請求項１】
各々が前後方向に延びかつ長さ方向の中央付近に設けられた支点を中心として揺動自在に構成され、互いに左右方向に並設された複数の鍵を有する鍵盤と、前記複数の鍵の各々の上面に、前記支点よりも後ろ側に載置され、対応する鍵の押鍵に連動する複数のアクションと、これらのアクションごとに設けられ、対応するアクションに連動して回動することにより、張設された弦を打弦する複数のハンマーと、を備えた鍵盤楽器において、前記鍵盤の左右方向に沿って延び、離鍵状態における前記複数の鍵の後端部が載置された鍵盤枕を、所定高さに調整することにより、前記複数の鍵の押鍵ストローク及び前記複数のハンマーのハンマーストロークを調整する鍵盤楽器のストローク調整装置であって、
前記鍵盤枕を、所定の基準高さと、これよりも所定高さ高い押上げ高さとの間で昇降するための鍵盤枕昇降機構と、
この鍵盤枕昇降機構を駆動するために手動で操作される操作機構と、
この操作機構の操作に伴って生じる動力を前記鍵盤枕昇降機構に伝達する動力伝達機構と、
を備えており、
前記鍵盤枕昇降機構は、
前記鍵盤枕の下側に、当該鍵盤枕の長さ方向の全体にわたって延びるとともに、回転自在に設けられ、前記動力伝達機構に連結された回転軸と、
この回転軸の長さ方向の所定位置に設けられ、当該回転軸と一体に回転する複数のギヤ部と、
これらの複数のギヤ部にそれぞれ噛み合い、上下方向に移動自在の複数のラック部と、
これらのラック部にわたって延びるとともに前記鍵盤枕の下面に当接し、前記回転軸の所定角度の回転に伴い、前記複数のラック部と一体に上下方向に移動することにより、前記鍵盤枕を昇降させる昇降部と、
を有していることを特徴とする鍵盤楽器のストローク調整装置。
【請求項２】
前記操作機構は、
前記鍵盤楽器の棚板の下面側に設けられ、上下方向に延びる軸線を中心として回転自在に設けられた回転操作部と、
この回転操作部の外周面に設けられたギヤ部と、
前記棚板の下面側において水平にスライド自在に設けられ、前記回転操作部のギヤ部に噛み合うラックスライダと、を有し、
前記動力伝達機構は、
前記操作機構と前記鍵盤枕昇降機構との間に延びるように配置されたチューブ状のアウターと、
このアウター内に摺動自在に収容され、一端部が前記ラックスライダに連結されるとともに、他端部が前記回転軸の径方向に突設されたフックに連結されたワイヤー状のインナーと、
を有していることを特徴とする請求項１に記載の鍵盤楽器のストローク調整装置。
【請求項３】
前記鍵盤枕を複数の高さに設定するために、前記回転軸を複数の回転角度にロックするロック機構を、さらに備えており、
前記ロック機構は、
前記回転操作部の径方向に所定長さ延び、基端部が当該回転操作部に固定されたロックバーと、
このロックバーの先端部に設けられ、出没自在のボールを有するボールラッチと、
前記回転操作部の回転操作に伴い、前記ロックバーの先端部の通過軌跡に沿って互いに間隔を隔てて配置されるとともに、前記ボールが係脱可能に構成された複数の係合凹部を有し、前記ボールが当該複数の係合凹部のいずれかに係合することにより、前記回動軸を不動にロックするロック部材と、
を有していることを特徴とする請求項２に記載の鍵盤楽器のストローク調整装置。
【発明の詳細な説明】
【技術分野】
【０００１】
本発明は、鍵盤楽器のストローク調整装置に関し、特に、鍵が押し下げられる深さである押鍵ストローク、及び押鍵に伴って回動するハンマーとそのハンマーが打つ弦との距離であるハンマーストロークを調整するための鍵盤楽器のストローク調整装置に関する。
【背景技術】
【０００２】
従来、この種のストローク調整装置として、例えば特許文献１に記載されたものが知られている。このストローク調整装置は、一般的なグランドピアノと同様の鍵盤、アクション及びハンマーを有する鍵盤式打楽器に適用されている。この鍵盤式打楽器では、グランドピアノと同様、棚板上に設けられた筬に、鍵盤が下方から支持された状態で載置されている。鍵盤は、前後方向に延びかつ左右方向に並んだ多数の鍵（白鍵及び黒鍵）を有しており、各鍵が、前後方向の中央付近に立設されたバランスピンを支点として揺動自在になっている。また、各鍵には、バランスピンよりも後方にアクションが載置されており、その上部に、上方に回動自在のハンマーが設けられるとともに、ハンマーの上方に前後方向に延びる金属製の発音体が設置されている。このように構成された鍵盤式打楽器では、演奏時に鍵の前端部が押し下げられると、鍵の後部が上動し、アクションが作動する。そして、このアクションにより、ハンマーが押し上げられることによって上方に回動し、発音体を下方から打つことによって楽音が発生する。
【０００３】
また、上記の鍵盤式打楽器に適用されたストローク調整装置は、鍵盤式打楽器の下部に設けられたストローク調整用のペダル（以下、本欄において「ストロークペダル」という）と、このストロークペダルの後端部から上方に延びるとともに、上端部が棚板を貫通して上方に突出するペダル連結棒と、このペダル連結棒から前方に延びるように設けられるとともに前端部が棚板に回動自在に支持されたアームと、このアームの上側に設けられ、筬から上方に出没可能に構成された左右方向に延びるリフティングバーと、このリフティングバーを上方から覆った状態で筬上に設けられ、鍵盤の全ての鍵の後端部が載置されるバックフェルトなどを備えている。
【０００４】
演奏者によってストロークペダルが踏み込まれると、ペダル連結棒が上方にスライドし、アームが上方に回動する。これに伴い、リフティングバーが筬から上方に突出し、バックフェルトを介して、全ての鍵の後端部が押し上げられる。加えて、鍵の後部に載置されたアクションも押し上げられることで、ハンマーも上方に若干、回動した状態に押し上げられる。以上により、全ての鍵の後端部が押し上げられた分、全ての鍵の前端部が下がることにより、鍵の押鍵ストロークが短くなるとともに、ハンマーが押し上げられることによって弦に近づき、ハンマーストロークも短くなる。その結果、押鍵に伴って上方に回動するハンマーの勢いが弱くなることで、弦に当たったときの音量が小さくなり、演奏時に弱音が出せるようになっている。
【先行技術文献】
【特許文献】
【０００５】
【特許文献１】特許５０７０８４４号公報
【発明の概要】
【発明が解決しようとする課題】
【０００６】
上述した従来のストローク調整装置では、ストロークペダルを踏み込んだ状態で左方にずらすように操作することにより、ストロークペダルを踏み込んだ状態に維持し、それにより、押鍵ストローク及びハンマーストロークを短くした状態に維持することが可能である。しかし、上記のストローク調整装置では、押鍵ストローク及びハンマーストロークはいずれも、ストロークペダルの踏込みの有無による２つのストロークにしか設定することができない。そのため、押鍵ストローク及びハンマーストロークをきめ細かく調整することができず、演奏時における弱音のコントロール性が十分とは言えない。
【０００７】
また、上記のストローク調整装置を、一般に３つのペダル（ソフトペダル、ソステヌートペダル及びラウドペダル）を備えるグランドピアノに適用する場合、上記のストロークペダルを新たに追加しなければならない。この場合、既存のグランドピアノに対し、大幅な設計変更及び多数の追加部品が必要となり、その分、製造コストが上昇してしまう。
【０００８】
本発明は、以上のような課題を解決するためになされたものであり、押鍵ストローク及びハンマーストロークをきめ細かく調整することができ、それにより、演奏時における弱音のコントロール性を十分に得ることができるとともに、より小さな音を出すことが可能になることで、ダイナミックレンジをより一層広げることができる鍵盤楽器のストローク調整装置を提供することを目的とする。
【課題を解決するための手段】
【０００９】
上記の目的を達成するために、請求項１に係る発明は、各々が前後方向に延びかつ長さ方向の中央付近に設けられた支点を中心として揺動自在に構成され、互いに左右方向に並設された複数の鍵を有する鍵盤と、複数の鍵の各々の上面に、支点よりも後ろ側に載置され、対応する鍵の押鍵に連動する複数のアクションと、これらのアクションごとに設けられ、対応するアクションに連動して回動することにより、張設された弦を打弦する複数のハンマーと、を備えた鍵盤楽器において、鍵盤の左右方向に沿って延び、離鍵状態における複数の鍵の後端部が載置された鍵盤枕を、所定高さに調整することにより、複数の鍵の押鍵ストローク及び複数のハンマーのハンマーストロークを調整する鍵盤楽器のストローク調整装置であって、鍵盤枕を、所定の基準高さと、これよりも所定高さ高い押上げ高さとの間で昇降するための鍵盤枕昇降機構と、この鍵盤枕昇降機構を駆動するために手動で操作される操作機構と、この操作機構の操作に伴って生じる動力を鍵盤枕昇降機構に伝達する動力伝達機構と、を備えており、鍵盤枕昇降機構は、鍵盤枕の下側に、鍵盤枕の長さ方向の全体にわたって延びるとともに、回転自在に設けられ、動力伝達機構に連結された回転軸と、この回転軸の長さ方向の所定位置に設けられ、回転軸と一体に回転する複数のギヤ部と、これらの複数のギヤ部にそれぞれ噛み合い、上下方向に移動自在の複数のラック部と、これらのラック部にわたって延びるとともに鍵盤枕の下面に当接し、回転軸の所定角度の回転に伴い、複数のラック部と一体に上下方向に移動することにより、鍵盤枕を昇降させる昇降部と、を有していることを特徴とする。
【００１０】
この構成によれば、鍵盤楽器における押鍵ストローク及びハンマーストロークを調整する場合、操作機構を手動で操作することにより、その操作に伴って生じる動力が動力伝達機構を介して、鍵盤枕昇降機構に伝達される。この鍵盤枕昇降機構は、離鍵状態における複数の鍵の後端部が載置された鍵盤枕の下側に設けられた回転軸と、この回転軸と一体に回転する複数のギヤ部と、これらにそれぞれ噛み合い、上下方向に移動自在の複数のラック部と、これらのラック部にわたって延びるとともに鍵盤枕の下面に当接し、回転軸の所定角度の回転に伴いラック部と一体に上下方向に移動する昇降部とを有している。したがって、操作機構の操作に伴う動力が動力伝達機構を介して回転軸に伝達され、その回転軸が所定角度、回転することにより、鍵盤枕は、昇降部によって、押上げ前の基準高さから押上げ高さ側に押し上げられる。
【００１１】
このように鍵盤枕が押し上げられると、離鍵状態における複数の鍵の後端部が押し上げられ、それにより、各鍵は支点を中心として前下がりの方向に若干揺動する。その結果、各鍵では、後端部が押し上げられた分と同程度、前端部が下がり、鍵が押し下げられる深さである押鍵ストロークが、押上げ前に比べて短くなる。また、この場合、鍵の支点よりも後ろ側に載置されたアクションも押し上げられ、それにより、回動するハンマーが弦に近づく。その結果、ハンマーでは、弦に近づいた分、ハンマーと弦の距離であるハンマーストロークが、押上げ前に比べて短くなる。
【００１２】
以上のように、本発明のストローク調整装置によれば、操作機構を手動で操作することによって、動力伝達機構を介して鍵盤枕昇降機構の回転軸を所定角度、回転させることにより、上下方向に移動する昇降部で鍵盤枕を基準高さと押上げ高さとの間で昇降し、押鍵ストローク及びハンマーストロークをきめ細かく調整することができる。それにより、演奏時における弱音のコントロール性を十分に得ることができるとともに、より小さな音を出すことが可能になることにより、ダイナミックレンジをより一層広げることができる。
【００１３】
請求項２に係る発明は、請求項１に記載の鍵盤楽器のストローク調整装置において、操作機構は、鍵盤楽器の棚板の下面側に設けられ、上下方向に延びる軸線を中心として回転自在に設けられた回転操作部と、この回転操作部の外周面に設けられたギヤ部と、棚板の下面側において水平にスライド自在に設けられ、回転操作部のギヤ部に噛み合うラックスライダと、を有し、動力伝達機構は、操作機構と鍵盤枕昇降機構との間に延びるように配置されたチューブ状のアウターと、このアウター内に摺動自在に収容され、一端部がラックスライダに連結されるとともに、他端部が回転軸の径方向に突設されたフックに連結されたワイヤー状のインナーと、を有していることを特徴とする。
【００１４】
この構成によれば、棚板の下面側の回転操作部を回転操作することにより、回転操作部の外周面のギヤ部に噛み合うラックスライダが水平にスライドする。また、このラックスライダがスライドすることにより、アウター内に収容され、ラックスライダと回転軸のフックとを連結するインナーを介して、回転軸が回転駆動される。そして、回転軸の回転に伴って上下方向に移動する昇降部を介して、鍵盤枕が昇降する。以上のように、鍵盤枕昇降機構の回転軸を回転駆動するための操作機構及び動力伝達機構を、比較的簡単な構成で容易にかつ安価に実現することができる。
【００１５】
請求項３に係る発明は、請求項２に記載の鍵盤楽器のストローク調整装置において、鍵盤枕を複数の高さに設定するために、回転軸を複数の回転角度にロックするロック機構を、さらに備えており、ロック機構は、回転操作部の径方向に所定長さ延び、基端部が回転操作部に固定されたロックバーと、このロックバーの先端部に設けられ、出没自在のボールを有するボールラッチと、回転操作部の回転操作に伴い、ロックバーの先端部の通過軌跡に沿って互いに間隔を隔てて配置されるとともに、ボールが係脱可能に構成された複数の係合凹部を有し、ボールが複数の係合凹部のいずれかに係合することにより、回動軸を不動にロックするロック部材と、を有していることを特徴とする。
【００１６】
この構成によれば、ロック機構によって回転軸を複数の回転角度にロックすることにより、鍵盤枕が複数の高さに設定される。このロック機構では、回転操作部に、その径方向に延びかつ基端部が固定されたロックバーが設けられ、そのロックバーの先端部にボールラッチが設けられている。このボールラッチのボールが、ロック部材の複数の係合凹部のいずれかに係合することにより、ロックバー及び回転操作部が不動にロックされる。その結果、動力伝達機構のインナーが不動になるとともに回転軸も不動になり、回転軸がそのときの回転角度に保持される。このように、ロック機構により、鍵盤枕を複数の高さに容易に設定することができ、それにより、押鍵ストローク及びハンマーストロークのきめ細かな調整を確保することができる。
【図面の簡単な説明】
【００１７】
【図１】本発明の一実施形態によるストローク調整装置を適用したグランドピアノの外観を示す斜視図である。
【図２】図１のグランドピアノの棚板、筬及び鍵盤枕を示す斜視図である。
【図３】鍵、アクション及びハンマー、並びにストローク調整装置の鍵盤枕昇降機構を示す側面図であり、（ａ）は全体を示しており、（ｂ）は鍵盤枕昇降機構及びその周囲を拡大して示している。
【図４】（ａ）及び（ｂ）はそれぞれ、図３（ａ）及び（ｂ）に対応し、鍵盤枕を押し上げた状態を示す。
【図５】鍵盤枕昇降機構を示す斜視図である。
【図６】図５の鍵盤枕昇降機構を分解して示す斜視図である。
【図７】鍵盤枕昇降機構の駆動軸及び鍵盤枕押上げ部材の一部を拡大して示すとともに、鍵盤枕押上げ部材のラック部を拡大して示している。
【図８】鍵盤枕及び鍵盤枕昇降機構を示す右側面図である。
【図９】駆動軸の回転動作及びこれに伴う鍵盤枕押上げ部材の上昇動作による鍵盤枕の押上げを説明するための図であり、（ａ）は鍵盤枕の押上げ前の状態、（ｂ）は鍵盤枕を押し上げた状態を示す。
【図１０】操作機構を示す図であり、（ａ）は斜視図、（ｂ）は平面図である。
【発明を実施するための形態】
【００１８】
以下、図面を参照しながら、本発明の好ましい実施形態を詳細に説明する。図１は、本発明の一実施形態による鍵盤楽器のストローク調整装置を適用したグランドピアノを示している。同図に示すように、このグランドピアノ１（鍵盤楽器）は、ピアノ本体２と、これを下方から支持する３つの脚３と、ピアノ本体２の下方に設けられ、３つのペダル４ａを有するペダル組立品４などで構成されている。
【００１９】
ピアノ本体２は、その底面前半部を構成する平板状の棚板５を備えており、この棚板５上に後述する筬６が載置され、この筬６によって、鍵盤７が下方から支持されている。鍵盤７は、各々が前後方向に延びる多数（例えば８８鍵）の鍵（白鍵及び黒鍵）７ａを有しており、これらの鍵７ａが左右方向に並んだ状態で配置されている。
【００２０】
図２に示すように、筬６は、スプルスなどの木質材を井桁状に組み立てたものであり、左右方向に延びる筬前１１、筬中１２及び筬後１３、並びにこれらを連結する前後方向に延びる左右の筬妻１４、１４、及びそれらの間に互いに左右方向に間隔を隔てて配置された複数（図２では４つ）の筬中束１５などで構成されている。筬前１１及び筬中１２にはそれぞれ、多数のフロントピン１６及びバランスピン１７（図３等参照）が立設されており、各鍵７ａが、対応するバランスピン１７（支点）を中心として揺動自在に支持されるとともに、フロントピン１６により、横振れが防止されるようになっている。
【００２１】
筬後１３上には、その長さ方向に沿って、複数（本実施形態では５つ）の鍵盤枕１９が載置されている。各鍵盤枕１９は、フェルトなどから成り、平面形状が横長矩形状に形成されている。そして、これらの鍵盤枕１９には、鍵７ａの前端部が押し下げられていない離鍵状態において、鍵盤７の後ろ下がりに傾斜する全ての鍵７ａの後端部が載置されている。また、筬後１３には、各鍵盤枕１９の直ぐ下側に、ストローク調整装置の後述する鍵盤枕昇降機構４１が埋設されている。
【００２２】
筬６の左右両端部には、左右の筬妻１４、１４上に前後方向に延びるブラケット台２１、２１が設置されるとともに、これらの間の筬中束１５及び筬後１３上に、複数（本実施形態では４つ）の中間ブラケット台２２が設置されている。また、これらのブラケット台２１及び中間ブラケット台２２を介して、所定形状の複数（本実施形態では６つ）のブラケット２３（図３（ａ）、図４（ａ）参照）が筬６上に設置され、これらのブラケット２３に、左右方向に延びるウィッペンレール２４及びハンマーシャンクレール２５（図３、４参照）が掛け渡されている。そして、これらのウィッペンレール２４及びハンマーシャンクレール２５にそれぞれ、複数のアクション２６及びハンマー２７が鍵７ａごとに回動自在に支持されている。
【００２３】
ここで、図３及び図４を参照して、アクション２６及びハンマー２７について簡単に説明する。両図に示すように、アクション２６は、ウィッペン３１、レペティションレバー３２及びジャック３３を有している。ウィッペン３１は、ウィッペンレール２４にねじ止めされたウィッペンフレンジ３４に回動自在に支持されるとともに、鍵７ａの後部の所定位置に立設されたキャプスタンスクリュー８に載置されている。また、レペティションレバー３２及びジャック３３は、ウィッペン３１の上端部及び前端部にそれぞれ回動自在に支持され、ジャック３３の上端部がレペティションレバー３２の前部を貫通した状態でこれに係合している。
【００２４】
一方、ハンマー２７は、前後方向に所定長さ延びるハンマーシャンク３６と、その先端部に設けられたハンマーヘッド３７と、ハンマーシャンク３６の基端寄りの所定位置に下方に突設されたシャンクローラ３８とを有している。そして、このハンマー２７は、ハンマーシャンク３６の基端部において、ハンマーシャンクレール２５にねじ止めされたハンマーシャンクフレンジ３９に回動自在に支持されるとともに、シャンクローラ３８がレペティションレバー３２に載置されている。
【００２５】
以上のように構成されたアクション２６及びハンマー２７では、対応する鍵７ａの前端部が押し下げられると、鍵７ａの後部が上動する。それに伴い、アクション２６では、ウィッペン３１が上方に回動しながら、レペティションレバー３２及びジャック３３が所定動作を実行する。これにより、ハンマー２７が上方に回動し、水平に張設された弦Ｓをハンマーヘッド３７で下方から打弦することによって、楽音が発生する。
【００２６】
次に、本発明のストローク調整装置４０について説明する。このストローク調整装置４０は、前記鍵盤枕昇降機構４１と、これを駆動するために手動で操作される操作機構４２と、これらの機構４１及び４２を連結し、操作機構４２の操作に伴って生じる動力を鍵盤枕昇降機構４１に伝達する動力伝達機構４３とを備えている。
【００２７】
図５及び６に示すように、鍵盤枕昇降機構４１は、筬後１３の長さ方向の全体にわたって延び、所定形状に形成されたベース５１と、このベース５１の長さ方向に沿って所定長さ延び、複数の軸受け５２を介して、ベース５１に回転自在に取り付けられた駆動軸５３と、ベース５１に上下方向に移動自在に案内され、駆動軸５３の所定角度の回転に伴い、複数の鍵盤枕１９をそれぞれ押し上げる複数（本実施形態では５つ）の鍵盤枕押上げ部材５４と、を有している。
【００２８】
ベース５１は、所定形状の金属板を折曲げ加工することなどによって、上方に開放するコ字状に成形され、筬後１３に埋設された状態で取り付けられている。ベース５１の前後の上端部５１ａ、５１ａはいずれも、外方に直角に屈曲されることで、水平に形成されており、これらの上端部５１ａ、５１ａに跨った状態で、鍵盤枕１９が載置されている（図８参照）。なお、鍵盤枕１９は、その前端部（図８の左端部）がベース５１の前側の上端部５１ａに接着されている。
【００２９】
また、駆動軸５３は、ベース５１とほぼ同様の長さを有する回転軸本体５５（回転軸）と、この回転軸本体５５の長さ方向の複数の所定位置にそれぞれ固定され、回転軸本体５５と一体に回転する複数（本実施形態では１０個）の駆動ローラ５６とを有している。これらの駆動ローラ５６は、互いに所定間隔を隔てた２つを１組とする複数組（本実施形態では５組）で構成されており、各組の駆動ローラ５６、５６が、回転軸本体５５の長さ方向に沿って配置されている。また、各駆動ローラ５６は、円筒状に形成されており、内側に回転軸本体５５が貫通し、外周面にギヤ部５７が形成されている。
【００３０】
さらに、駆動軸５３には、回転軸本体５５の所定位置、具体的には、左から２つ目の駆動ローラ５６とその右方の軸受け５２との間に、回転軸本体５５の所定の径方向（本実施形態では上方）に突出するＵ字状のフック５３ａが設けられている。このフック５３ａに、後述する動力伝達ケーブル９３のインナー９２の一端部が連結されている。
【００３１】
また、各鍵盤枕押上げ部材５４は、図７及び８に示すように、各組の両駆動ローラ５６、５６のギヤ部５７にそれぞれ噛み合い、ブロック状に形成されたラック部５８と、両ラック部５８、５８間にわたって延びる細長い板状に形成され、鍵盤枕１９の下面に当接する昇降部５９とで構成されている。各ラック部５８には、下方に開放するガイド穴５８ａが形成されている。そして、このガイド穴５８ａには、ベース５１の所定位置に立設され、鍵盤枕押上げ部材５４を上下方向に案内するガイドピン６０が下方から挿入されている。
【００３２】
図１０（ａ）及び（ｂ）は、ストローク調整装置４０の操作機構４２を示している。この操作機構４２は、棚板５の下面の左前部に下方からねじ止めされており、手動で回転操作されるものである。具体的には、この操作機構４２は、棚板５の下面にねじ止めされ、平面形状が横長矩形上の取付けプレート７１と、上下方向に延びる軸部７２及びその下端部に大径の回転つまみ７３を有し、軸部７２の上端部が取付けプレート７１に回転自在に支持された回転操作部７４と、上記の軸部７２の外周面に設けられたギヤ部７２ａにかみ合うとともに、左右方向に水平にスライド自在のラックスライダ７５とを有している。このラックスライダ７５は、左右方向に延びかつ取付けプレート７１にねじ止めされたガイドレール７６にスライド自在に係合しており、左端部に動力伝達機構４３の後述する動力伝達ケーブル９３のインナー９２の一端部が連結されている。
【００３３】
また、このストローク調整装置４０には、鍵盤枕１９を複数の高さに設定するために、駆動軸５３を複数の回転角度にロックするロック機構７７が設けられている。このロック機構７７は、回転操作部７４の軸部７２から径方向に所定長さ延び、回転操作部７４と一体に回動するロックバー８１と、このロックバー８１の先端部に取り付けられたボールラッチ８２と、前記取付けプレート７１に取り付けられるとともに、ロックバー８１の下側を回り込むように設けられたロックプレート８３（ロック部材）などを備えている。このロックプレート８３には、回転操作部７４と一体に回動するロックバー８１の先端部に設けられたボールラッチ８２の通過軌跡に沿う円弧状に、互いに間隔を隔てて、複数（本実施形態では１３個）のロック孔８３ａ（係合凹部）が形成されている。
【００３４】
図１０（ａ）に示すように、ボールラッチ８２は、ロックバー８１の先端部に取り付けられ、下方に開放する筒状のホルダ８２ａと、所定の径を有し、ホルダ８２ａ内に出没自在に設けられたボール８２ｂと、ホルダ８２ａ内に設けられ、ボール８２ｂを下方に付勢するばね８２ｃとを有している。ボールラッチ８２のボール８２ｂの下部がロックプレート８３のいずれかのロック孔８３ａに上方から嵌った状態に係合することにより、ロックバー８１が不動にロックされることで、回転操作部７４及びラックスライダ７５が不動にロックされ、それに伴い、駆動軸５３が所定の回転角度にロックされる。
【００３５】
なお、上記の状態から、回転操作部７４に対し、回転方向にある程度の力が加えられることにより、ボールラッチ８２のボール８２ｂが、ばね８２ｃの付勢力に抗して、係合しているロック孔８３ａの縁部で押し上げられる。これにより、そのボール８２ｂがロック孔８３ａから外れ、回転操作部７４の回転操作が可能になる。
【００３６】
また、ロックバー８１の上側には、取付けプレート７１の所定位置に左右方向に延びるように固定され、ロックバー８１の上面が摺接するブロック８４が設けられている。このブロック８４により、ロックバー８１が回動する際に、上方に撓むのを抑制でき、それにより、ボールラッチ８２のボール８２ｂがロックプレート８３のロック孔８３ａにしっかりと係合することで、ロックバー８１の安定したロックが確保される。
【００３７】
動力伝達機構４３は、所定の長さを有するチューブ状のアウター９１と、その内部に摺動自在に収容されたワイヤー状のインナー９２とを有する動力伝達ケーブル９３で構成されている。この動力伝達ケーブル９３は、前述した図２に示すように、棚板５の下面において、前側の操作機構４２から後ろ側の鍵盤枕昇降機構４１に、左側から回り込むように配置されている。
【００３８】
また、図１０（ａ）及び（ｂ）に示すように、動力伝達ケーブル９３の一端部では、アウター９１の端部が操作機構４２の取付けプレート７１に取り付けられるとともに、インナー９２の端部がラックスライダ７５の左端部に取り付けられている。一方、動力伝達ケーブル９３の他端部では、アウター９１の端部が棚板５の所定位置に形成された貫通孔５ａ（図２参照）を介して、棚板５上に取り付けられるとともに、インナー９２の端部が、鍵盤枕昇降機構４１の駆動軸５３の前記フック５３ａに、連結具９４を介して連結されている。
【００３９】
以上のように構成されたストローク調整装置４０では、図１０に示す回転操作部７４の回転つまみ７３を時計方向に回すことにより、ラックスライダ７５が右方にスライドし、それにより、動力伝達ケーブル９３のインナー９２が操作機構４２側に引っ張られる。これにより、駆動軸５３は、図８の時計方向に所定角度、回転し、駆動ローラ５６のギヤ部５７にラック部５８が噛み合う鍵盤枕押上げ部材５４が上方に移動する。
【００４０】
一方、図１０に示す回転つまみ７３を反時計方向に回すことにより、ラックスライダ７５が左方にスライドし、インナー９２による引っ張りが解除される。これにより、駆動軸５３は、図示しないばねの付勢力、あるいは鍵盤枕押上げ部材５４などの自重により、図８の反時計方向に所定角度、回転し、それに伴い、上方に移動していた鍵盤枕押上げ部材５４が下方に移動する。
【００４１】
図９は、駆動軸５３の回転及び鍵盤枕押上げ部材５４の上下動による鍵盤枕１９の昇降動作を示しており、同図（ａ）は鍵盤枕１９が最も低い高さである基準位置に位置している状態、同図（ｂ）は鍵盤枕１９が最も高い押上げ高さに位置している状態を示している。また、鍵盤枕押上げ部材５４が同図（ａ）の高さに位置しているときには、操作機構４２のロックバー８１は、図１０（ｂ）の二点鎖線で示すように、左方に傾斜するように位置している。一方、鍵盤枕押上げ部材５４が図９（ｂ）の高さに位置しているときには、ロックバー８１は、図１０（ｂ）の一点鎖線で示すように、右方に傾斜するように位置している。したがって、回転つまみ７３を時計方向に回すことにより、鍵盤枕押上げ部材５４が上方に移動し、鍵盤枕１９が最大で所定高さＨ（例えば１．５ｍｍ）、押し上げられる。
【００４２】
上記のように、鍵盤枕１９が押し上げられると、図４に示すように、鍵盤７における全ての鍵７ａの後端部が押し上げられ、それにより、鍵７ａは、対応するバランスピン１７を中心として前下がり（図４では左下がり）の方向に若干揺動する。その結果、鍵７ａでは、後端部が押し上げられた分とほぼ同程度、前端部が下がり、鍵７ａが押し下げられる深さである押鍵ストロークが、押上げ前に比べて短くなる。
【００４３】
また、この場合、鍵７ａの後端部が押し上げられることにより、鍵７ａの後部のキャプスタンスクリュー８に載置されたアクション２６も押し上げられる。そして、アクション２６のレペティションレバー３２にシャンクローラ３８を介して載置されたハンマー２７は、図４（ｂ）に実線で示すように、反時計方向に若干回動し、それにより、ハンマーヘッド３７が上方の弦Ｓに近づく。その結果、ハンマー２７では、ハンマーヘッド３７が弦Ｓに近づいた分、ハンマーヘッド３７と弦Ｓの距離であるハンマーストロークが、押上げ前に比べて短くなる。
【００４４】
以上のように、本実施形態によれば、回転つまみ７３を手動で回転操作することによって、動力伝達ケーブル９３を介して、駆動軸５３を所定角度、回転させることにより、上下方向に移動する鍵盤枕押上げ部材５４で鍵盤枕１９を基準高さと押上げ高さとの間で昇降し、押鍵ストローク及びハンマーストロークをきめ細かく調整することができる。それにより、演奏時における弱音のコントロール性を十分に得ることができるとともに、より小さな音を出すことが可能になることにより、ダイナミックレンジをより一層広げることができる。
【００４５】
なお、本発明は、説明した上記実施形態に限定されることなく、種々の態様で実施することができる。例えば、実施形態では、本発明のストローク調整装置４０をグランドピアノに適用した場合について説明したが、本発明はこれに限定されるものではなく、アップライトピアノにも適用することが可能である。また、実施形態では、ストローク調整装置４０の操作機構４２として、回転つまみ７３を回転操作するタイプのものを採用したが、本発明はこれに限定されるものではなく、例えば、レバーを前後方向や左右方向に移動させるように操作するタイプなど、種々の操作タイプのものを採用することが可能である。さらに、実施形態では、動力伝達機構４３として、アウター９１及びインナー９２を有する動力伝達ケーブル９３を採用したが、本発明はこれに限定されるものではなく、例えば、リンク機構によって、操作機構４２の動力を鍵盤枕昇降機構４１に伝達することも可能である。
【００４６】
また、実施形態で示したストローク調整装置４０の細部の構成などは、あくまで例示であり、本発明の趣旨の範囲内で適宜、変更することができる。
【符号の説明】
【００４７】
１    グランドピアノ（鍵盤楽器）
５    棚板
６    筬
７    鍵盤
７ａ  鍵
１７    バランスピン（支点）
１９    鍵盤枕
２６    アクション
２７    ハンマー
３７    ハンマーヘッド
４０    ストローク調整装置
４１    鍵盤枕昇降機構
４２    操作機構
４３    動力伝達機構
５３    駆動軸
５３ａ  フック
５４    鍵盤枕押上げ部材
５５    回転軸本体（回転軸）
５６    駆動ローラ
５７    ギヤ部
５８    ラック部
５９    昇降部
７２    軸部
７２ａ  ギヤ部
７３    回転つまみ
７４    回転操作部
７５    ラックスライダ
７７    ロック機構
８１    ロックバー
８２ｂ  ボール
８２    ボールラッチ
８３    ロックプレート（ロック部材）
８３ａ  ロック孔（係合凹部）
９１    アウター
９２    インナー
９３    動力伝達ケーブル
Ｓ    弦
Ｈ    所定高さ
【図１】
2018054967.tif 000003
【図２】
2018054967.tif 000004
【図３】
2018054967.tif 000005
【図４】
2018054967.tif 000006
【図５】
2018054967.tif 000007
【図６】
2018054967.tif 000008
【図７】
2018054967.tif 000009
【図８】
2018054967.tif 000010
【図９】
2018054967.tif 000011
【図１０】
2018054967.tif 000012